(57)【要約】【課題】ディスクシステムの厚みを低減し、製造工程においてコストおよび工数を削減させることができるブラケットおよびディスクシステムを提供する。【解決手段】ディスク装置１０を他の部材に固定する平板状のブラケット２０であって、ブラケット２０を筐体５０に固定する複数の第一固定部材６０を、固定するための複数の第一固定部２１と、複数のディスク装置１０のそれぞれを、面積が最大の面の一部または全部が接した状態で固定するためのディスク設置領域２２と、複数のディスク装置１０をディスク設置領域２２に固定する複数の第二固定部材を、固定するための複数の第二固定部２３とを備える。【選択図】図２Ｃ
2014093112.tif 000002
【特許請求の範囲】
【請求項１】
複数のディスク装置を他の部材に固定する平板状のブラケットであって、
複数のディスク装置のそれぞれを、面積が最大の面の一部または全部が接した状態で、且つ、前記複数のディスク装置を直線状に並べて固定するためのディスク設置領域と、
前記ブラケットを前記他の部材に固定する複数の第一固定部材を、固定するための複数の第一固定部と、
前記複数のディスク装置を前記ディスク設置領域に固定する複数の第二固定部材を、固定するための複数の第二固定部とを備える
ブラケット。
【請求項２】
前記複数の第一固定部は、前記複数のディスク装置のうち、端に配置されるディスク装置の周囲の少なくとも３箇所に配置され、且つ、隣接する２つのディスク装置の間の少なくとも１か所に配置される
請求項１に記載のブラケット。
【請求項３】
前記複数の第一固定部のうち、前記端に配置されるディスク装置の周囲に配置される複数の第一固定部は、前記端に配置されるディスク装置と当該ディスク装置に隣接するディスク装置との間の２箇所、および、前記隣接するディスク装置とは反対側の１箇所に配置される
請求項２に記載のブラケット。
【請求項４】
さらに、
前記第一固定部材とは異なる第三固定部材であって前記ブラケットを筐体に固定する複数の第三固定部材を、固定するための複数の第三固定部を備える
請求項１〜３の何れか１項に記載のブラケット。
【請求項５】
前記複数の第三固定部のうち、前記端に配置されるディスク装置の周囲に配置される複数の第三固定部は、前記端に配置されるディスク装置と当該ディスク装置に隣接するディスク装置との間の１箇所、および、前記隣接するディスク装置とは反対側の２箇所に配置される
請求項４に記載のブラケット。
【請求項６】
複数のディスク装置と、
筐体と、
前記複数のディスク装置を前記筐体に固定する平板状のブラケットと、
前記ブラケットを前記筐体に固定するための複数の第一固定部材と、
前記複数のディスク装置と通信する回路を有する回路基板とを備え、
前記ブラケットは、
前記複数のディスク装置のそれぞれを、面積が最大の面の一部または全部が接した状態で、且つ、前記複数のディスク装置を直線状に並べて固定するためのディスク設置領域と、
前記複数の第一固定部材を固定するための複数の第一固定部と、
前記複数のディスク装置を前記ディスク設置領域に固定する複数の第二固定部材を、固定するための複数の第二固定部とを備える
ディスクシステム。
【請求項７】
さらに、
前記複数のディスク装置と前記回路基板とを電気的に接続する１枚の基板であって、
前記ブラケットに設置された複数のディスク装置のそれぞれと接続するための第一接続部と、
前記回路基板の接続部と接続するための第二接続部と、
前記第一接続部と前記第二接続部とを繋ぐ配線を備える配線部とを有する集合基板を備える
請求項６に記載のディスクシステム。
【請求項８】
前記集合基板の前記第二接続部、および、前記回路基板に設けられた前記集合基板との接続部は、着脱自在に構成されたコネクタである
請求項７に記載のディスクシステム。
【請求項９】
前記集合基板の前記第二接続部は、可動コネクタである
請求項７または８に記載のディスクシステム。
【発明の詳細な説明】
【技術分野】
【０００１】
本発明は、複数のディスク装置を設置可能なブラケット、および、当該ブラケットを備えたディスクシステムに関する。
【背景技術】
【０００２】
例えば、ブルーレイディスク（Ｂｌｕ−ｒａｙ  Ｄｉｓｃ（登録商標））レコーダやＤＶＤレコーダ等の映像機器には、光ディスクやハードディスク（Ｈａｒｄ  Ｄｉｓｋ  Ｄｒｉｖｅ、ＨＤＤ）等のディスク装置を複数搭載した映像機器がある（例えば、特許文献１および特許文献２参照）。
【０００３】
また、一般的に、ディスク装置は、ブラケットに固定された状態で、映像機器の筐体内に固定される。例えば、特許文献２に記載の記憶装置では、複数のディスク装置のそれぞれに専用のブラケットを用意し、ディスク装置を搭載したブラケットを筐体に固定している。
【先行技術文献】
【特許文献】
【０００４】
【特許文献１】特開２００７−２８０３５３号公報
【特許文献２】特開２００４−１９２６８６号公報
【発明の概要】
【発明が解決しようとする課題】
【０００５】
一般的に、複数のディスク装置を備えるディスクシステムでは、製造工程におけるコストの削減および工数の削減が求められている。
【０００６】
また、上述した映像機器では、一般的に、機器の厚みを抑えることが求められる。しかし、上述した特許文献１および特許文献２の装置は、何れも、ディスク装置を、ディスク装置の厚さ方向に積層して設置する構成であるため、機器の厚みが大きくなってしまうという問題がある（図６参照）。
【０００７】
そこで、本発明は、上記課題を解決するためになされたものであって、ディスクシステムの厚みを低減し、製造工程においてコストおよび工数を削減させることができるブラケットおよびディスクシステムを提供することを目的とする。
【課題を解決するための手段】
【０００８】
上記目的を達成するために、本発明の一態様に係るブラケットは、複数のディスク装置を他の部材に固定する平板状のブラケットであって、複数のディスク装置のそれぞれを、面積が最大の面の一部または全部が接した状態で、且つ、前記複数のディスク装置を直線状に並べて固定するためのディスク設置領域と、前記ブラケットを前記他の部材に固定する複数の第一固定部材を、固定するための複数の第一固定部と、前記複数のディスク装置を前記ディスク設置領域に固定する複数の第二固定部材を、固定するための複数の第二固定部とを備える。
【０００９】
本構成のブラケットは、平板状のブラケットであり、複数のディスク装置を固定するディスク設置領域を備えているので、複数のディスク装置に対し、１枚のブラケットを用意すれば良い。つまり、１枚のブラケットを、複数のディスク装置で共有している。
【００１０】
特許文献２の記憶装置のように、複数のディスク装置のそれぞれに専用のブラケットを設ける場合には、ディスク装置の数だけブラケットを製造する必要が生じるが、本構成のブラケットは、１枚のブラケットのみを製造すればよいので、ディスクシステム全体では、製造工程における工数の削減を図ることができる。また、本構成のブラケットは、共通化に伴い、ブラケットを構成する材料の量を削減することも可能になると考えられる。
【００１１】
また、本構成のブラケットは、ディスク装置の各々を、面積が最大の面の一部または全部が接するように、且つ、直線状に並べて設置するように構成したので、ディスク装置を厚さ方向に積層する場合に比べ、ディスクシステムの筐体の厚さを低減できる。
【００１２】
また、前記複数の第一固定部は、前記複数のディスク装置のうち、端に配置されるディスク装置の周囲の少なくとも３箇所に配置され、且つ、隣接する２つのディスク装置の間の少なくとも１か所に配置されていてもよい。
【００１３】
このように構成すれば、ディスク装置を安定的に固定できる。さらに、上記構成のブラケットは、第一固定部（例えば、ビスを固定するための孔部）および第一固定部材（例えば、ビス）の数を低減可能になる。これにより、製造コストの削減および製造工程の削減を図ることが可能になる。
【００１４】
さらに、前記複数の第一固定部のうち、前記端に配置されるディスク装置の周囲に配置される複数の第一固定部は、前記端に配置されるディスク装置と当該ディスク装置に隣接するディスク装置との間の２箇所、および、前記隣接するディスク装置とは反対側の１箇所に配置されていてもよい。
【００１５】
例えば、各ディスク装置に専用のブラケットを設ける場合は、１台あたり４つの第一固定部および第一固定部材が必要となり、３つのディスク装置に対しては、４ｘｎ（ｎはディスク装置の台数）の第一固定部および第一固定部材が必要となる。これに対し、上記構成のブラケットでは、第一固定部および第一固定部材の数は、（端部のディスク装置の周囲に配置された第一固定部の数）＋（端部以外のディスク装置の周囲に配置された第一固定部の数）−（共有される第一固定部の数）＝３ｘ２＋４ｘ（ｎ−２）−２ｘ（ｎ−１）＝２ｘｎとなる。すなわち、本構成における第一固定部および第一固定部材の数は、各ディスク装置に専用のブラケットを設ける場合における第一固定部および第一固定部材の数の半分となる。これにより、製造コストの削減および製造工程の削減を図ることが可能になる。
【００１６】
また、ブラケットは、さらに、前記第一固定部材とは異なる第三固定部材であって前記ブラケットを筐体に固定する複数の第三固定部材を、固定するための複数の第三固定部を備えていてもよい。
【００１７】
例えば、ブラケットを筐体に固定する方法としては、例えば、ビス留めにより固定する方法や、ダンパーを介してビス留めする方法等が考えられる。固定する方法の態様（種類）のそれぞれに対応した固定部（例えば、第一固定部、第三固定部）を設けることにより、１つのブラケットで、複数通りの固定方法を選択可能になり、ブラケットの利用範囲を広げることができる。
【００１８】
また、前記複数の第三固定部のうち、前記端に配置されるディスク装置の周囲に配置される複数の第三固定部は、前記端に配置されるディスク装置と当該ディスク装置に隣接するディスク装置との間の１箇所、および、前記隣接するディスク装置とは反対側の２箇所に配置されていてもよい。
【００１９】
このように第三固定部を配置すれば、第一固定部を含め、他の固定部との間隔を適切に保つことができる。これにより、ディスク装置を安定的に固定できる。
【００２０】
上記目的を達成するために、本発明の一態様に係るディスクシステムは、複数のディスク装置と、筐体と、前記複数のディスク装置を前記筐体に固定する平板状のブラケットと、前記ブラケットを前記筐体に固定するための複数の第一固定部材と、前記複数のディスク装置と通信する回路を有する回路基板とを備え、前記ブラケットは、前記複数のディスク装置のそれぞれを、面積が最大の面の一部または全部が接した状態で、且つ、前記複数のディスク装置を直線状に並べて固定するためのディスク設置領域と、前記複数の第一固定部材を固定するための複数の第一固定部と、前記複数のディスク装置を前記ディスク設置領域に固定する複数の第二固定部材を、固定するための複数の第二固定部とを備える。
【００２１】
当該ディスクシステムは、上述したブラケットを備えることにより、上述したブラケットにおける効果を奏することができる。
【００２２】
さらに、上述したブラケットを用いることにより、製造工程における作業性を向上させることが可能になる。例えば、ブラケットを筐体に固定する作業は、比較的スペースの狭い筐体内で行うことになる。ブラケットが複数の場合、このような作業をブラケットの数に応じて複数回行う必要が生じる。これに対し、ブラケットを共通化すれば、ブラケットの位置決めが一度で済む等、筐体に固定する際の作業量を低減でき、作業性の向上を図ることができる。これにより、製造工程における作業量が低減でき、製造コストの削減を図ることが可能になる。
【００２３】
また、さらに、前記複数のディスク装置と前記回路基板とを電気的に接続する１枚の基板であって、前記ブラケットに設置された複数のディスク装置のそれぞれと接続するための第一接続部と、前記回路基板の接続部と接続するための第二接続部と、前記第一接続部と前記第二接続部とを繋ぐ配線を備える配線部とを有する集合基板を備えていてもよい。
【００２４】
一般的に、複数のディスク装置を搭載するディスクシステムにおいて、各ディスク装置と基板とを信号ケーブルで接続する場合、当該信号ケーブルは、電源回路から遮断する必要がある。このため、従来では、電源回路をシールドするためのシールド部材を設ける、あるいは、信号ケーブルと電源回路との間のスペースを広くとる方法が採用されていた。シールド部材を設ける場合は、製造コストが増大し、スペースを広くとる場合は、ディスクシステムの筐体の大きさが大きくなってしまう場合があるという問題がある。
【００２５】
これに対し、上記ディスクシステムでは、複数のディスク装置と回路基板とを、集合基板を介して接続する。これにより、複数のディスク装置の（回路基板との）インターフェースを、信号ケーブルを用いることなく、集合基板の第二接続部に集約可能になる。複数のディスク装置のインターフェースが集合基板の第二接続部に集約されることにより、回路基板との接続に必要なスペース、例えば、コネクタや信号ケーブルの設置スペースを少なくすることが可能になる。これにより、ディスクシステムの筐体の大きさを低減可能になる。
【００２６】
また、前記集合基板の前記第二接続部、および、前記回路基板に設けられた前記集合基板との接続部は、着脱自在に構成されたコネクタであってもよい。
【００２７】
着脱自在なコネクタにより、集合基板と回路基板とを接続するように構成すれば、ディスク装置と回路基板とを、信号ケーブル無しで接続することが可能になる。これにより、信号ケーブルの設置スペースを削減して、ディスクシステムの筐体の大きさを低減可能になる。
【００２８】
また、前記集合基板の前記第二接続部は、可動コネクタであってもよい。
【００２９】
可動コネクタにより、集合基板と回路基板とを接続するように構成すれば、例えば、ディスクシステムに振動が生じた場合でも、集合基板と回路基板との接続が意図せず外れるのを、効果的に防止することが可能になる。
【発明の効果】
【００３０】
上記ブラケットおよび当該ブラケットを用いたディスクシステムでは、製造工程におけるコストの削減および工数の削減を達成可能になる。
【図面の簡単な説明】
【００３１】
【図１Ａ】ディスクシステムの全体構成を示す斜視図である。
【図１Ｂ】ディスクシステムの全体構成を示す上面視図である。
【図２Ａ】ディスク装置の一例を示す斜視図である。
【図２Ｂ】ディスク装置の一例を示す斜視図である。
【図２Ｃ】ブラケットの一例を示す斜視図である。
【図２Ｄ】集合基板の一例を示す斜視図である。
【図２Ｅ】回路基板の一例を示す斜視図である。
【図２Ｆ】筐体の一例を示す斜視図である。
【図２Ｇ】第一固定部材および第二固定部材の一例を示す斜視図である。
【図３Ａ】ブラケット上の第一孔部とディスク設置領域との位置関係の一例を示す模式図である。
【図３Ｂ】ブラケット上の第一孔部とディスク設置領域との位置関係の一例を示す模式図である。
【図３Ｃ】ブラケット上の第一孔部とディスク設置領域との位置関係の一例を示す模式図である。
【図４Ａ】ブラケット上の第一孔部とディスク設置領域との位置関係の一例を示す模式図である。
【図４Ｂ】ブラケット上の第一孔部とディスク設置領域との位置関係の一例を示す模式図である。
【図４Ｃ】ブラケット上の第一孔部とディスク設置領域との位置関係の一例を示す模式図である。
【図５】ディスクシステムを搭載した装置の一例を示す斜視図である。
【図６】従来のブラケットを搭載した装置の一例を示す斜視図である。
【発明を実施するための形態】
【００３２】
以下、本発明の実施の形態について、図面を用いて詳細に説明する。なお、各図は、必ずしも各寸法や各寸法比等を厳密に図示したものではない。
【００３３】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３４】
（実施の形態）
本実施の形態のブラケットを備えたディスクシステムについて、図１Ａ〜図２Ｆを基に説明する。
【００３５】
本実施の形態のディスクシステムは、複数台のディスク装置を備え、外部装置からの書き込み要求に応じて、外部装置から入力されるデータをディスク装置に記憶し、外部装置からの読み出し要求に応じて、ディスク装置からデータを読み出して外部装置に出力するシステムである。本実施の形態のディスクシステムは、例えば、図５に示すＤＶＤレコーダ等に適用することができる。ディスク装置に記憶されるデータは、例えば、テレビ放送の録画データや、映画等のコンテンツを再生するためのデータ等、動画像データおよび音データを含む映像データであってもよいし、他のデータであってもよい。
【００３６】
［１．ディスクシステム１の全体構成］
図１Ａは、ディスクシステム１の全体構成を示す斜視図であり、図１Ｂは、ディスクシステム１を図１ＡのＺ方向からみた場合の上面視図である。なお、図１Ａおよび図１Ｂでは、ディスクシステム１の筐体５０の長手方向をＸ方向、短手方向をＹ方向、厚さ方向をＺ方向としている。
【００３７】
本実施の形態のディスクシステム１は、図１Ａおよび図１Ｂに示すように、筐体５０と、３つのディスク装置１０と、当該３つのディスク装置１０をディスクシステム１の筐体５０に固定するための１枚のブラケット２０と、回路基板４０と、ディスク装置１０と回路基板４０とを接続する集合基板３０と、電源回路７０と、筐体５０とを備える。なお、ディスクシステム１の構成は、これに限られるものではない。ディスクシステム１は、他の構成を備えていても良い。
【００３８】
ディスクシステム１は、本実施の形態では、図１Ａおよび図１Ｂに示すように、筐体５０の底部に、ブラケット２０と回路基板４０とが、ビス６０（第一固定部材、図２Ｇ参照、図１Ａおよび図１Ｂでは図示せず）を用いて固定されている。筐体５０の底面は、略長方形状であり、ブラケット２０は、略長方形状の板状部材である。ブラケット２０の長手方向の長さは、筐体５０の底面の長手方向の長さより小さく、ブラケット２０は、ブラケット２０の長辺と筐体５０の長辺が平行となるように、筐体５０の底部に固定されている。
【００３９】
ブラケット２０上には、本実施の形態では、３つのディスク装置１０が固定されている。３つのディスク装置１０は、図面Ｘ方向（横方向、筐体５０の長手方向）に並んで配置されている。３つのディスク装置１０は、１つの集合基板３０に接続されている。
【００４０】
集合基板３０は、後で詳述するが、板状部材を用いて構成され、ブラケット２０と回路基板４０との間に、ＸＺ平面に平行な状態で配置される。集合基板３０は、３つのディスク装置１０と回路基板４０とに接続している。
【００４１】
回路基板４０は、ブラケット２０と並んで筐体５０の底面に配置されている。図１Ａおよび図１Ｂでは、回路基板４０は、筐体５０のブラケット２０よりも手前側（Ｙ方向の反対方向）に配置されている。回路基板４０は、ディスクシステム１の外部装置との接続用の外部コネクタ４３が、筐体５０の開口部５２に配置されるように、筐体５０の底面に固定されている。
【００４２】
電源回路７０は、図１Ｂに示すように、ブラケット２０よりも図面下側（Ｙ方向の反対方向）、回路基板４０よりも図面左側（Ｘ方向の反対方向）に配置されている。
【００４３】
図５は、ディスクシステム１が搭載される装置の一例を示す外観図である。図５に示すように、ディスクシステム１は、例えば、ＤＶＤレコーダに搭載される。なお、筐体５０は、ディスクシステム１に専用の筐体５０ではなく、ディスクシステム１が搭載される装置の筐体５０であってもよい。
【００４４】
［１−１．ディスク装置１０］
図２Ａおよび図２Ｂは、本実施の形態におけるディスク装置１０の一例を示す斜視図である。なお、図２Ａおよび図２ＢのＸ方向、Ｙ方向およびＺ方向は、それぞれ、図１ＡのＸ方向、Ｙ方向およびＺ方向に対応している。
【００４５】
ディスク装置１０は、本実施の形態では、サイズの異なる２種類の一般的なハードディスク（ＨＤＤ）である場合を例に説明する。
【００４６】
具体的には、ディスク装置１０は、図２Ａに示す比較的サイズの大きいハードディスク１１および１２、図２Ｂに示す比較的サイズの小さいハードディスク１３である。
【００４７】
なお、ディスク装置１０の種類や数は、これに限られるものではない。全て同じ種類であっても良いし、全て異なる種類であっても良い。
【００４８】
ディスク装置１０は、底面の４箇所に、ビス６０（第二固定部材、図２Ｇ参照）の固定部（図示せず）と、一般的な規格に準拠したコネクタ端子１０ａとを備えている。ディスク装置１０は、それぞれ、４つのビス６０を用いて後述するブラケット２０に固定される。本実施の形態では、ディスク装置１０の各面のうち、底面が、面積が最大の面となっている。
【００４９】
［１−２．ブラケット２０］
図２Ｃは、本実施の形態におけるブラケット２０の一例を示す斜視図である。なお、図２Ｃにおいて、破線で囲まれた領域は、ディスク装置１０が搭載される領域を示している。また、図２ＣのＸ方向、Ｙ方向およびＺ方向は、それぞれ、図１ＡのＸ方向、Ｙ方向およびＺ方向に対応している。
【００５０】
本実施の形態のブラケット２０は、図２Ｃに示すように、略長方形状の板状部材であり、ディスク設置領域２２と、複数の第一孔部２１（第一固定部）と、複数の第二孔部２３（第二固定部）とを備える。
【００５１】
なお、本実施の形態では、ブラケット２０は、略長方形状である場合を例に説明したが、これに限るものではない。ブラケット２０の形状および大きさは、ディスクシステム１内におけるディスク装置１０を設置可能な領域の形状や大きさ、ディスク装置１０の大きさや形状、配置等に応じて適宜設定することができる。
【００５２】
ブラケット２０は、例えば、プラスチック材料や、アルミニウム合金等の材料を用いて形成されても良い。ブラケット２０の材料は、例えば、設置されるディスク装置１０の大きさや重量、ディスク装置１０を支持するのに必要な強度、ディスク装置１０の放熱性等を考慮して選択することが望ましい。
【００５３】
ディスク設置領域２２は、複数のディスク装置１０の各々を、当該ディスク装置１０の面積が最大の面の一部または全部が接した状態で設置するためのブラケット２０上の領域である。また、複数のディスク装置１０は、ディスク設置領域２２において、直線状に並べて配置されるように構成されている。図２Ｃでは、ディスク設置領域２２は、ブラケット２０上の破線で囲まれた領域である。
【００５４】
ディスク設置領域２２は、図２Ｃに示すように、各ディスク装置１０の底面の短辺が、直線上に並ぶように設定されている。本実施の形態では、複数のディスク装置１０が、後述する集合基板３０に接続される構成となっていることから、上記直線の位置は、筐体５０内に設置された状態における集合基板３０の位置に対応する。ディスク設置領域２２は、この直線側に、ディスク装置１０のコネクタ側が配置されるように、設定されている。
【００５５】
なお、本実施の形態では、ディスク設置領域２２が、ディスク装置１０の短辺が直線上に並ぶように（横方向に並ぶように）設定されている場合を例に説明したが、これに限られるものではない。ディスク設置領域２２は、ディスク装置１０の配置に応じて適宜設定することができる。ディスク装置１０は、図２Ｃでは、ディスク装置１０を横方向に並べるように配置したが、ディスク装置１０を縦方向に並べるように配置しても良いし、縦横混在させて配置しても良い。また、ディスク装置１０は、必ずしも一直線状に配置する必要はなく、複数の直線上に分散して配置しても良い。
【００５６】
また、図２Ｃでは、ディスク装置１０の底面全体がブラケット２０上にある場合と、ディスク装置１０の底面の一部がブラケット２０上にある場合とが混在している場合を示したが、これに限られるものではない。全てのディスク装置１０の底面全体がブラケット２０上にあってもよいし、全てのディスク装置１０が底面の一部のみがブラケット２０上にあってもよい。
【００５７】
第一孔部２１は、本実施の形態では、ブラケット２０を筐体５０にビス６０で固定するための孔部である。当該孔部の内壁は、ビス６０が固定されるように、ビス６０のねじ部分の形状に対応する形状となっている。
【００５８】
第一孔部２１は、本実施の形態では、図２Ｃに示すように、直線状に並べられたディスク装置１０のうち、端部に配置されたディスク装置１０に対しては、周囲の３箇所に、３角形状に配置されている。より詳細には、この３つの第一孔部２１の内の２つは、隣接するディスク装置１０と共有される。すなわち、３つの第一孔部２１は、隣接するディスク装置１０との境界を底辺とする２等辺三角形の各頂点に配置されている。２等辺三角形の２つの等辺が共有する頂点に配置された第一孔部２１は、ブラケット２０の短辺の中央付近に配置されている。
【００５９】
また、第一孔部２１は、端部以外の領域に配置されたディスク装置１０に対しては、ディスク装置１０の周囲の４箇所に配置されている。この４つの第一孔部２１は、ディスク装置１０の角部近傍に配置されている。
【００６０】
以上より、図２Ｃの例では、３つのディスク装置１０に対し、６つの第一孔部２１が配置されることになる。このように構成すれば、ディスク装置１０を搭載した状態のブラケット２０を、バランス良く安定した状態で筐体５０に固定可能になる。
【００６１】
第二孔部２３は、複数のディスク装置１０をブラケット２０のディスク設置領域２２にビス６０で固定するための孔部である。当該孔部の直径は、ビス６０のねじ部分の直径より大きく、ビス６０の頭部の直径より小さい。
【００６２】
第二孔部２３は、本実施の形態では、図２Ｃに示すように、各ディスク装置１０に対し４つ設けられている。第二孔部２３は、各ディスク装置１０に対応する４つが、長方形の角に位置するように配置されている。なお、第二孔部２３の配置および数は、これに限るものではない。比較的重量の大きいディスク装置１０の場合は、５つ以上の第二孔部２３を配置してもよいし、比較的重量の小さいディスク装置１０の場合は、３つ以下の第二孔部２３を配置してもよい。
【００６３】
［１−３．集合基板３０］
図２Ｄは、本実施の形態における集合基板３０の一例を示す斜視図である。図２Ｄの（ａ）は、集合基板３０をＹ方向とは逆の方向から見た場合の斜視図であり、図２Ｄの（ｂ）は、集合基板３０をＹ方向からみた場合の斜視図である。ここでのＸ方向、Ｙ方向およびＺ方向は、それぞれ、図１ＡのＸ方向、Ｙ方向およびＺ方向に対応している。
【００６４】
集合基板３０は、図２Ｄの（ａ）に示すように、略長方形状の板状部材で構成される集合基板本体部３１と、回路基板４０と接続するための可動コネクタ３２（第二接続部）と、ディスク装置１０と接続するためのディスク接続用コネクタ３３（第一接続部）とを備えて構成されている。
【００６５】
可動コネクタ３２は、図２Ｄの（ａ）に示すように、集合基板本体部３１の同じ面に２つ設けられている。２つの可動コネクタ３２は、それぞれ、Ｘ方向、Ｙ方向およびＺ方向に、僅かに移動可能である。これにより、設置時における集合基板３０と回路基板４０との間の位置関係のばらつきに対応できる。当該位置関係のばらつきは、部品ばらつきや取り付け時のばらつきにより生じる。
【００６６】
ディスク接続用コネクタ３３は、図２Ｄの（ｂ）に示すように、集合基板本体部３１の可動コネクタ３２の設置面とは反対の面に設けられている。本実施の形態では、３つのディスク装置１０に対応して、３つのディスク接続用コネクタ３３が設けられている。３つのディスク接続用コネクタ３３は、それぞれ、設置時におけるディスク装置１０の位置に対応して位置決めされている。なお、ディスク接続用コネクタ３３についても、可動コネクタ３２と同様に、Ｘ方向、Ｙ方向およびＺ方向に、僅かに移動可能に構成しても良い。
【００６７】
集合基板本体部３１には、２つの可動コネクタ３２と３つのディスク接続用コネクタ３３とを繋ぐ配線を備える配線部が内設されている。
【００６８】
このように、集合基板３０を用いれば、ディスク装置１０と回路基板４０との接続に、ケーブルを用いる必要がなくなる。ケーブルを用いた場合は、当該ケーブルと電源回路７０とを接触させないために、ディスク装置１０と電源回路７０との間にスペースや、ディスク装置１０と電源回路７０とを隔離する部材が必要となる。これに対し、集合基板３０を用いれば、ディスク装置１０と電源回路７０との間にスペースや隔離する部材を設ける必要がなくなる。
【００６９】
ただし、集合基板３０は、本発明の必須構成ではなく、ディスク装置１０と回路基板４０とを、ケーブルにより接続してもよい。
【００７０】
［１−４．電源回路、回路基板４０、筐体５０等］
図２Ｅは、本実施の形態における回路基板４０の一例を示す斜視図である。なお、図２ＥのＸ方向、Ｙ方向およびＺ方向は、それぞれ、図１ＡのＸ方向、Ｙ方向およびＺ方向に対応している。
【００７１】
回路基板４０は、図２Ｅに示すように、略長方形状の板状部材で構成される回路基板本体部４１と、集合基板３０の可動コネクタ３２に接続する内部コネクタ４２と、外部装置と接続するための外部コネクタ４３と、電源回路と接続するためのコネクタ（図示せず）を備えている。
【００７２】
図２Ｆは、本実施の形態における筐体５０の一例を示す斜視図である。なお、図２ＦのＸ方向、Ｙ方向およびＺ方向は、それぞれ、図１ＡのＸ方向、Ｙ方向およびＺ方向に対応している。
【００７３】
筐体５０は、本実施の形態では、上述したように、底面の形状が略長方形状に形成されている。なお、筐体５０の底面の形状は、これに限るものではない。
【００７４】
本実施の形態の筐体５０には、底面に、ブラケット２０をビス留めするためのブラケット用孔部５１が設けられている。ブラケット用孔部５１は、ビス６０のねじ部分の直径より大きく、ビス６０の頭部の直径より小さい直径を持つ、ビス６０を通すための円形の孔である。
【００７５】
また、筐体５０には、Ｙ方向とは反対側の側面に、回路基板４０の外部コネクタ４３を通すための開口部５２が設けられている。開口部５２の形状は、回路基板４０の外部コネクタ４３の形状に応じた形状である。さらに、筐体５０には、電源回路７０に電源を接続するための電源接続部５３が設けられている。電源接続部５３は、開口部により構成されている。
【００７６】
電源回路７０は、ディスクシステム１を構成する複数のディスク装置１０および回路基板４０に対して、外部電源の電圧等を調整した内部電源を供給する回路である。
【００７７】
本実施の形態の電源回路７０は、図１Ｂに示すように、筐体５０の底面に固定されている。なお、電源回路７０は、必ずしも、ディスクシステム１の筐体５０内に設置される必要はない。
【００７８】
また、本実施の形態の電源回路７０は、回路基板４０に接続されている。電源回路７０は、回路基板４０および集合基板３０を介して、各ディスク装置１０に内部電源を供給する。
【００７９】
［２．ブラケット２０の固定方法］
次に、ブラケット２０の固定方法について、簡単に説明する。
【００８０】
先ず、ブラケット２０に、３台のディスク装置１０が、ビス６０を用いて固定される。
【００８１】
ブラケット２０にディスク装置１０を固定した後、３つのディスク装置１０と集合基板３０とを接続する。集合基板３０のディスク装置１０への取り付けは、ディスク装置１０のコネクタ端子１０ａと集合基板３０のディスク接続用コネクタ３３とを接続して行う。
【００８２】
引き続き、筐体５０に、電源回路７０等の周辺回路、回路基板４０、および、ブラケット２０を取り付ける。また、集合基板３０の可動コネクタ３２と回路基板４０の内部コネクタ４２とを接続する。
【００８３】
［３．変形例］
上記実施の形態では、３台のディスク装置１０を備え、ブラケット２０を６箇所の第一孔部２１で筐体５０に固定する場合について説明したが、これに限るものではない。以下、ディスク装置１０の数が異なる場合、および、孔部の種類数が異なる場合の変形例について、図３Ｂ、図３Ｃ、図４Ａ〜図４Ｃを基に説明する。
【００８４】
図３Ａは、上述した実施の形態におけるブラケット２０と、ディスク装置１０と、第一孔部２１との位置関係を示している。
【００８５】
［３−１．変形例１（ディスク装置１０の数が異なる場合）］
当該変形例では、上記実施の形態とは、ブラケット２０上に固定できるディスク装置１０の台数が異なる場合について説明する。
【００８６】
図３Ｂは、２台のディスク装置１０を設置可能なディスク設置領域２２を持つブラケットにおいて、ディスク設置領域２２と第一孔部２１との位置関係を示す模式図である。なお、図３Ｂでは、図面の見やすさのため、第二孔部２３は、あえて記載していない。
【００８７】
この例では、２台のディスク装置１０のそれぞれに対して、３つの第一孔部２１が配置されている。図３Ｂの例では、２つのディスク装置１０の間で、２つの第一孔部２１を共有するので、２つのディスク装置１０に対し、４つの第一孔部２１が配置されることになる。
【００８８】
［３−２．変形例２（ディスク装置１０の数が異なる場合）］
当該変形例では、上記実施の形態とは、ブラケット２０上に固定できるディスク装置１０の台数が異なる場合について説明する。
【００８９】
図３Ｃは、ｎ台（ｎは４以上）のディスク装置１０を設置可能なディスク設置領域２２を持つブラケットにおいて、ディスク設置領域２２と第一孔部２１との位置関係を示す模式図である。なお、図３Ｃでは、図面の見やすさのため、第二孔部２３は、あえて記載していない。
【００９０】
この例では、端部の２台のディスク装置１０のそれぞれに対して、３つの第一孔部２１が配置されている。また、当該２台の間のディスク装置１０については、４つの第一孔部２１が配置されている。すなわち、２ｎ個の第一孔部２１が配置されている。
【００９１】
［３−３．変形例３（第一孔部２１の種類数が異なる場合）］
当該変形例では、固定されるディスク装置１０の台数は、図３Ａと同じ３台であるが、筐体との接続のための孔部が、２種類ある場合について説明する。
【００９２】
図４Ａは、３台のディスク装置１０を設置可能なディスク設置領域２２を持つブラケットにおいて、ディスク設置領域２２と第一孔部と第三孔部（第三固定部）との位置関係を示す模式図である。なお、図４Ａでは、図面の見やすさのため、第二孔部２３は、あえて記載していない。
【００９３】
第一孔部は、本変形例では、ビス６０のみでブラケット２０を筐体５０に固定するためのビス用孔部２１ａである。第三孔部は、本変形例では、ダンパーを介してブラケット２０を筐体５０にビス留めするためのダンパー用孔部２１ｂである。
【００９４】
ビス用孔部２１ａは、図４Ａでは、図３Ａの第一孔部２１と同じ位置に配置されている。ダンパー用孔部２１ｂは、ビス用孔部２１ａと同様に、端部の２つのディスク装置１０については、周囲の３か所に配置されている。ただし、ダンパー用孔部２１ｂは、３つのうちの２つが、他のディスク装置１０と隣接しないディスク装置１０の角部近傍に配置されている。また、ダンパー用孔部２１ｂは、３つのうちの残りの１つが、他のディスク装置１０と共有されるように、配置されている。この例では、ダンパー用孔部２１ｂの数は、６つとなる。
【００９５】
［３−４．変形例４（ディスク装置１０の数と、第一孔部２１の種類数とが異なる場合）］
当該変形例では、固定されるディスク装置１０の台数は、図３Ｂと同じ２台であるが、筐体との接続のための孔部が、２種類ある場合について説明する。
【００９６】
図４Ｂは、２台のディスク装置１０を設置可能なディスク設置領域２２を持つブラケットにおいて、ディスク設置領域２２と第一孔部と第三孔部との位置関係を示す模式図である。なお、図４Ｂでは、図面の見やすさのため、第二孔部２３は、あえて記載していない。
【００９７】
第一孔部は、変形例３と同様に、ビス用孔部２１ａであり、第三孔部は、変形例３と同様に、ダンパー用孔部２１ｂである。
【００９８】
ビス用孔部２１ａは、図４Ｂでは、図３Ｂに示す変形例１の第一孔部２１と同じ位置に配置されている。ダンパー用孔部２１ｂは、ビス用孔部２１ａと同様に、端部の２つのディスク装置１０については、周囲の３か所に配置されている。ただし、ダンパー用孔部２１ｂは、３つのうちの２つが、他のディスク装置１０と隣接しないディスク装置１０の角部近傍に配置されている。また、ダンパー用孔部２１ｂは、３つのうちの残りの１つが、２台のディスク装置１０の間に配置されている。この例では、ダンパー用孔部２１ｂの数は、５つとなる。
【００９９】
［３−５．変形例５（ディスク装置１０の数と、第一孔部２１の種類数とが異なる場合）］
当該変形例では、固定されるディスク装置１０の台数は、図３Ｃと同じｎ台であるが、筐体との接続のための孔部が、２種類ある場合について説明する。
【０１００】
図４Ｃは、ｎ台のディスク装置１０を設置可能なディスク設置領域２２を持つブラケットにおいて、ディスク設置領域２２と第一孔部と第三孔部との位置関係を示す模式図である。なお、図４Ｂでは、図面の見やすさのため、第二孔部２３は、あえて記載していない。
【０１０１】
第一孔部は、変形例３と同様に、ビス用孔部２１ａであり、第三孔部は、変形例３と同様に、ダンパー用孔部２１ｂである。
【０１０２】
ビス用孔部２１ａは、図４Ｃでは、図３Ｃに示す変形例２の第一孔部２１と同じ位置に配置されている。ダンパー用孔部２１ｂは、ビス用孔部２１ａと同様に、端部の２つのディスク装置１０については、周囲の３か所に配置されている。ただし、ダンパー用孔部２１ｂは、３つのうちの２つが、他のディスク装置１０と隣接しないディスク装置１０の角部近傍に配置されている。また、ダンパー用孔部２１ｂは、３つのうちの残りの１つが、２台のディスク装置１０の間に配置されている。また、端部以外のディスク装置１０については、それぞれ２か所で固定される構成となっている。なお、ディスク装置１０の数が多い場合には、ブラケット上の空きスペースに、ダンパー用孔部２１ｂを追加的に設けてもよい。
【０１０３】
なお、図３Ａ〜図３Ｃの例において、第一孔部２１が、ビス用孔部である場合を例に説明したが、ダンパー用孔部を第一孔部としてもよいし、他の種類の孔部であってもよい。また、図４Ａ〜図４Ｃの例では、ビス用孔部２１ａおよびダンパー用孔部２１ｂの配置が、逆に設定されていてもよい。また、ビス用孔部およびダンパー用孔部の何れか一方または両方が、他の種類の孔部であってもよい。また、筐体との接続のための孔部（固定部）は、１種類または２種類に限られるものではなく、３種類以上であっても良い。
【０１０４】
図３Ａ〜図３Ｃ、図４Ａ〜図４Ｃの何れの場合でも、ディスク装置１０を搭載した状態のブラケット２０を、バランス良く安定した状態で筐体５０に固定可能になる。
【０１０５】
（別実施の形態）
以上、本発明の実施の形態に係るブラケット２０およびディスクシステム１について説明したが、本発明は、この実施の形態に限定されるものではない。
【０１０６】
上記実施の形態では、ディスク装置１０がＨＤＤである場合を例に説明したが、これに限るものではない。ディスク装置１０はとしては、例えば、光ディスクやＤＶＤ、ＳＳＤ（Ｓｏｌｉｄ  Ｓｔａｔｅ  Ｄｒｉｖｅ、ソリッドステートドライブ）等であっても良い。
【０１０７】
また、ブラケットを筐体５０に固定するための第一固定部材と、ディスク装置をブラケットに固定するための第二固定部材とが、ともにビス６０である場合を例に説明したが、第一固定部材および第二固定部材は、他の部材であってもよい。また、第一固定部材と第二固定部材とは、同じ部材である必要はない。また、例えば、第一固定部材の一部をビスのみ、残りの固定部材をダンパーを介してビス留めする等、第一固定部材として、複数種類の部材を用いてもよい。同様に、第二固定部材として、複数種類の部材を用いてもよい。
【０１０８】
さらに、上記実施の形態では、１つのディスクシステム１内に、１つのブラケットが設置される場合について説明したが、これに限られるものではない。４台以上のディスク装置１０を用いる場合は、１つのディスクシステム１内に、複数のディスク装置が設けられていても良い。この場合において、集合基板は、必ずしも、各ブラケットと１対１に対応している必要はない。なお、ブラケットと集合基板とを１対１に対応させた場合は、製造工程における作業性が向上すると考えられる。
【０１０９】
さらに、上記実施の形態及び上記変形例をそれぞれ組み合わせるとしても良い。
【産業上の利用可能性】
【０１１０】
本発明のブラケットおよびディスクシステムは、例えば、ブルーレイディスクプレーヤやＤＶＤレコーダ（ＤＶＤプレーヤ）など、複数のディスク装置を固定して用いる装置として有用である。
【符号の説明】
【０１１１】
１    ディスクシステム
１０  ディスク装置
１０ａ  コネクタ端子
１１、１２、１３  ハードディスク
２０  ブラケット
２１  第一孔部
２１ａ  ビス用孔部
２１ｂ  ダンパー用孔部
２２  ディスク設置領域
２３  第二孔部
３０  集合基板
３１  集合基板本体部
３２  可動コネクタ
３３  ディスク接続用コネクタ
４０  回路基板
４１  回路基板本体部
４２  内部コネクタ
４３  外部コネクタ
５０  筐体
５１  ブラケット用孔部
５２  開口部
５３  電源接続部
６０  ビス
７０  電源回路
【図１Ａ】
2014093112.tif 000003
【図１Ｂ】
2014093112.tif 000004
【図２Ａ】
2014093112.tif 000005
【図２Ｂ】
2014093112.tif 000006
【図２Ｃ】
2014093112.tif 000007
【図２Ｄ】
2014093112.tif 000008
【図２Ｅ】
2014093112.tif 000009
【図２Ｆ】
2014093112.tif 000010
【図２Ｇ】
2014093112.tif 000011
【図３Ａ】
2014093112.tif 000012
【図３Ｂ】
2014093112.tif 000013
【図３Ｃ】
2014093112.tif 000014
【図４Ａ】
2014093112.tif 000015
【図４Ｂ】
2014093112.tif 000016
【図４Ｃ】
2014093112.tif 000017
【図５】
2014093112.tif 000018
【図６】
2014093112.tif 000019